(57)【要約】【課題】腰掛状に変形できる介護用ベッドを改良して介護者が被介護者の移し変えを容易に行えるようにすること、及び使い易さを向上させること。【解決手段】ベッド本体１が、背凭れ部３と座部４と脚受け部５及び足載せ部６に分割されると共にこれら各部を互いに回転自在に枢着したマット部材２を備え、モータ９の回転により腰掛状と、各部が水平に展開したベッド状とに変形する形式の介護用のベッドに於いて、該ベッド本体をマット部材と共に昇降させる昇降装置１３を設けた。昇降装置を、支軸１４でＸ字状に軸着した揺動杆１５を備えた昇降枠１６で構成してベッド本体と床１７の間に介在させ、モータ１８により該揺動杆に開閉作動を与えてベッド本体をマット部材と共に昇降する。【選択図】図２
2004016370.tif 000002
【特許請求の範囲】
【請求項１】
ベッド本体が、背凭れ部と座部と脚受け部及び足載せ部に分割されると共に該背凭れ部と座部、座部と脚受け部、脚受け部と足載せ部が互いに回転自在に枢着されたマット部材を備え、該脚受け部の下側に、一端を該座部に枢着するとともに他端を該足載せ部に枢着した姿勢規制杆を配設し、該背凭れ部と該脚受け部に連結杆を枢着し、モータの回転により進退する駆動部材を該連結杆、該背凭れ部あるいは脚受け部に連結し、該駆動部材の進退により該背凭れ部が起き上がるとともに脚受け部が下方に傾斜し、該足載せ部が略水平になった腰掛状と、各部が水平に展開したベッド状とに変形する形式の介護用のベッドに於いて、該ベッド本体をマット部材と共に昇降させる昇降装置を設けたことを特徴とする介護用ベッド。
【請求項２】
上記昇降装置を該ベッド本体の下方に設けたことを特徴とする請求項１に記載の介護用ベッド。
【請求項３】
上記昇降装置を上記ベッド本体の脚部に設けたことを特徴とする請求項１に記載の介護用ベッド。
【請求項４】
上記昇降装置を、支軸でＸ字状に軸着した揺動杆を備えた昇降枠で構成して上記ベッド本体と床の間に介在させ、モータにより該揺動杆に開閉作動を与えて上記ベッド本体をマット部材と共に昇降することを特徴とする請求項２に記載の介護用ベッド。
【請求項５】
上記昇降装置を、モータにより揺動される揺動腕で構成し、該揺動腕の端部に上記ベッド本体を係着してこれを昇降することを特徴とする請求項２に記載の介護用ベッド。
【請求項６】
上記座部の脚受け部側を、上記背凭れ部の起き上がりに伴い上昇させる座部傾斜装置を設けたことを特徴とする請求項１に記載の介護用ベッド。
【請求項７】
上記足載せ部の先端は、上記ベッド本体の下降に伴い上方へ持ち上がることを特徴とする請求項１に記載の介護用ベッド。
【請求項８】
上記座部に開口部を設け、該開口部の下方に便器を設けたことを特徴とする請求項１に記載の介護用ベッド。
【発明の詳細な説明】
【０００１】
【発明の属する技術分野】
本発明は、病人、老人などの要介護者の介護に適したベッドに関する。
【０００２】
【従来の技術】
従来より、この種のベッドとして、ベッド本体が、背凭れ部と座部と脚受け部及び足載せ部に分割されると共に該背凭れ部と座部、座部と脚受け部、脚受け部と足載せ部が互いに回転自在に枢着されたマット部材を備え、該脚受け部の下側に、一端を該座部に枢着するとともに他端を該足載せ部に枢着した姿勢規制杆を配設し、該背凭れ部と該脚受け部に連結杆を枢着し、モータの回転により進退する駆動部材を該連結杆、該背凭れ部あるいは脚受け部に連結し、該駆動部材の進退により該背凭れ部が起き上がるとともに脚受け部が下方に傾斜し、該足載せ部が略水平になった腰掛状と、各部が水平に展開したベッド状とに変形する形式の介護用のベッドが提案されている（特公平５−１８５８１）。
【０００３】
【発明が解決しようとする課題】
上記した従来のものは、簡単な構成でマット部材を腰掛状に変形させることができ、用便も容易であるから介護負担が少なくなるなどの利点があるが、被介護者をベッドから移動させるための介護作業が容易でない不都合がみられた。例えば入浴やシーツの交換のために搬送用ベッドなどに被介護者を移し変える場合、被介護者を一旦持ち上げる必要があり、多数の被介護者を移し変えると介護者の疲労が大きくなってしまう不都合があった。
【０００４】
本発明は、腰掛状に変形できる介護用ベッドを改良して介護者が被介護者の移し変えを容易に行えるようにすること、及び使い易さを向上させることを目的とするものである。
【０００５】
【課題を解決するための手段】
本発明では、ベッド本体が、背凭れ部と座部と脚受け部及び足載せ部に分割されると共に該背凭れ部と座部、座部と脚受け部、脚受け部と足載せ部が互いに回転自在に枢着されたマット部材を備え、該脚受け部の下側に、一端を該座部に枢着するとともに他端を該足載せ部に枢着した姿勢規制杆を配設し、該背凭れ部と該脚受け部に連結杆を枢着し、モータの回転により進退する駆動部材を該連結杆、該背凭れ部あるいは脚受け部に連結し、該駆動部材の進退により該背凭れ部が起き上がるとともに脚受け部が下方に傾斜し、該足載せ部が略水平になった腰掛状と、各部が水平に展開したベッド状とに変形する形式の介護用のベッドに於いて、該ベッド本体をマット部材と共に昇降させる昇降装置を設けることにより、上記の目的を達成するようにした。該昇降装置は、該ベッド本体の下方に設け、或いは該ベッド本体の脚部に設けてもよく、支軸でＸ字状に軸着した２本の揺動杆を備えた昇降枠で構成して該ベッド本体と床の間に介在させ、モータにより該揺動杆に開閉作動を与えて該ベッド本体をマット部材と共に昇降することも可能である。また、該昇降装置を、モータにより揺動される揺動腕で構成し、該揺動腕の端部に該ベッド本体を係着してこれを昇降するようにしてもよい。
【０００６】
更に、該座部の脚受け部側を、該背凭れ部の起き上がりに伴い上昇させる座部傾斜装置を設け、或いは、該足載せ部の先端を、該ベッド本体の下降に伴い上方へ持ち上げることで、腰掛状態のときに介護者が姿勢を安定させることができるようになる。
【０００７】
【発明の実施の形態】
図面に基づき本発明の実施の形態を説明すると、図１乃至図３に於いて、符号１はマット部材２を備えた介護用のベッド本体を示し、該マット部材２は、背凭れ部３、座部４、脚受け部５及び足載せ部６に分割され、該背凭れ部３と座部４、該座部４と脚受け部５、該脚受け部５と足載せ部６はヒンジ等により互いに回転自在に枢着した。該脚受け部５の下側には、一端を該座部４に枢着するとともに他端を該足載せ部６に枢着した姿勢規制杆７を配設し、該背凭れ部３と該脚受け部５に連結杆８を枢着し、モータ９の回転により進退する螺杆からなる駆動部材１０が該連結杆８を介して該背凭れ部３と脚受け部５に連結される。該駆動部材１０が進退すると、各部が水平に展開したベッド状と、図４に示すように、該背凭れ部３が起き上がるとともに脚受け部５が下方に傾斜し、該足載せ部６が床面に対して略水平になった腰掛状に変形する。
【０００８】
こうした構成は従来のものと略同様であり、該座部４に開口部１１を設け、該開口部１１の下方に水洗便器などの便器１２を設けることも従来のものと同様であるが、本発明では、介護者が被介護者の移し変えを容易に行えるようにすること、及びベッドの使い易さを向上させるために、該ベッド本体１をマット部材２と共に昇降させる昇降装置１３を設けるようにした。
【０００９】
これを更に説明すると、該昇降装置１３は、該マット部材２が腰掛状に変形する機能を損なわないように、該ベッド本体１の下方、或いは該ベッド本体１の下部に設けられ、図１乃至図３の実施例では、該昇降装置１３を、支軸１４の両側に夫々２本ずつのＸ字状の揺動杆１５、１５を軸着した昇降枠１６で構成し、これを該ベッド本体１と床１７の間に介在させ、モータ１８により駆動部材１９を進退させることで該揺動杆１５に支軸１４を中心とする開閉作動を行わせ、揺動杆１５の先端が該ベッド本体１をマット部材２と共に図５のように上昇するようにした。該駆動部材１９は例えば螺杆で構成され、これに螺合するナット部材２０を該モータ１８で回転させることにより該駆動部材１９がその軸方向に進退する。床１７とベッド本体１の下面にはチャンネル型の案内２１を設け、そのチャンネル内を各揺動杆１５の先端の車軸に設けた車輪２２が走行して揺動杆１５の円滑な開閉作動が行われる。また、ベッド本体１の前後の脚２３、２４には床１７に固定された案内軸２５、２６を挿通しておき、該ベッド本体１がその昇降に伴い位置ずれすることを防止するようにした。
【００１０】
図６に示した例では、該昇降装置１３は、モータ２７により揺動されるＶ字型の揺動腕２８で構成すると共に該揺動腕２８の一端に該ベッド本体１のフレームから伸びる腕２９を係着し、該揺動腕２８が揺動したとき該ベッド本体１が昇降される構成にした。
【００１１】
該ベッド本体１が低い位置にあっても該ベッド本体１が該昇降装置１３により該マット部材２と共に昇降すれば、入浴などのため被介護者を抱きかかえてマット部材２上から持ち上げ、搬送ベッドや車椅子へ移動させるという労働を軽減できる。
【００１２】
該マット部材２は、ベッド本体１の高さ位置に関係なく随時に腰掛状に変更されるが、背凭れ部３が起き上がって腰掛状態になるとき該座部４の脚受け部側をベッド本体１のフレームに設けた座部傾斜装置３０により上昇させ（図７、図８）、これにより腿が上がり腰掛状態における被介護者の姿勢が安定し、前のめりの不安定な姿勢になる不都合が防止される。図７及び図８の場合、座部傾斜装置３０を、ベッド本体１と座部４の脚受け部側を連結したリンク３１で構成し、該リンク３１の結節部の頭部３２が傾動する脚受け部５の下面により押され、該リンク３１の角度の開きに伴って座部４の脚受け部側が持ち上がるようにした。
【００１３】
更に、マット部材２が腰掛状態になっているときにベッド本体１が降下すると、足載せ部６の先端が上方へ持ち上がるように構成することで腰掛状態の被介護者が自分の足で踏ん張り、姿勢を変更しやすいようにした。足載せ部６の先端を上方へ持ち上げる手段として、図９の例では該足載せ部６を上方へ揺動可能に脚受け部５に連結すると共に、該足載せ部６の底面に突起３３を設け、ベッド本体１が降下したとき該突起３３が床１７をスライドしてその高さ分だけ該足載せ部６の先端が持ち上がるようにした。尚、図示してないが、ベッド本体の脚に昇降装置を設けるようにしてもよい。
【００１４】
図１乃至図３の実施例に於いて、モータ１８により駆動部材１９を往復させると、揺動杆１５、１５の角度が開閉し、これに伴って各揺動杆１５の上端の車輪２２が案内２１に沿って走行し、ベッド本体１が昇降する。この昇降は、該マット部材２が腰掛状態、水平状態のいずれの場合でも可能であり、被介護者を寝たまま、或いは起きた状態で介護しやすい適当な高さに調節して介護作業を行え、介護者の労働を軽減できる。
【００１５】
【発明の効果】
以上のように本発明のものでは、背凭れ部と座部と脚受け部及び足載せ部に分割されると共に該背凭れ部と座部、座部と脚受け部、脚受け部と足載せ部が互いに回転自在に枢着されたマット部材を備え、該脚受け部の下側に姿勢規制杆を有し、該背凭れ部と該脚受け部に連結杆を枢着して駆動部材の進退により腰掛状と水平のベッド状とに変形する形式の介護用のベッドに於いて、該ベッド本体をマット部材と共に昇降させる昇降装置を設けたので、被介護者をベッドから或いはベッドへ楽に移動させることができ、該昇降装置を、支軸でＸ字状に軸着した揺動杆を備えた昇降枠で構成してベッド本体と床の間に介在させ、モータにより該揺動杆に開閉作動を与えてベッド本体をマット部材と共に昇降する構成とし、或いはモータにより揺動される揺動腕で構成して該揺動腕の端部にベッド本体を係着してこれを昇降する構成とすることで、簡単且つ安価に製作できる効果が得られ、該座部の脚受け部側を、背凭れ部の起き上がりに伴い上昇させる座部傾斜装置を設け、足載せ部の先端をベッド本体の下降に伴い上方へ持ち上げる構成とすることで、被介護者の使い易さを向上させ得るという効果がある。
【図面の簡単な説明】
【図１】本発明の実施の形態を示す全体側面図
【図２】図１の側面図
【図３】図２の２−２線部分の截断側面図
【図４】図２の作動状態の側面図
【図５】図２の上昇状態の側面図
【図６】本発明の他の実施の形態を示す側面図
【図７】座部傾斜装置の一例の側面図
【図８】図７の作動状態の側面図
【図９】足載せ部を持ち上げる構成の一例の側面図
【符号の説明】１　ベッド本体、２　マット部材、３　背凭れ部、４　座部、５脚受け部、６　足載せ部、７　姿勢規制杆、８　連結杆、９　モータ、１０　駆動部材、１１　開口部、１２　便器、１３　昇降装置、１４　支軸、１５　揺動杆、１６　昇降枠、１７　床、１８　モータ、１９　駆動部材、２３・２４　脚、２８　揺動腕、３０　座部傾斜装置、３１　リンク、３３　突起、
【図１】
2004016370.tif 000003
【図２】
2004016370.tif 000004
【図３】
2004016370.tif 000005
【図４】
2004016370.tif 000006
【図５】
2004016370.tif 000007
【図６】
2004016370.tif 000008
【図７】
2004016370.tif 000009
【図８】
2004016370.tif 000010
【図９】
2004016370.tif 000011